(57)【要約】      （修正有）【課題】外部から不正に可動翼片を開けようとしても可動翼片が開くことがなく、確実に不正行為を防止することができる可変入賞装置及びそれを用いた遊技機を提供する。【解決手段】電気的駆動源２２の駆動力を伝達手段２３を介して回動軸２５に軸支された可動翼片１９が開閉する可変入賞装置であって、可動翼片１９の回動軸２５に可動翼片１９と同期し回動軸２５と偏心する位置に伝達手段２３と連係する操作部３１を備えたカム部材５２を設け、伝達手段２３に電気的駆動源２２の非駆動時に操作部３１に対し所定ストローク単独で可動し得る間隙Ｃを存して係合部５３を設けると共に操作部３１の回転軌道上に操作部３１の回動を阻止するストッパー３５を設け、電気的駆動源２２の駆動時に作動部材２３の所定ストロークの単独運動によりストッパー３５が操作部３１の回転軌道上から離脱し操作部３１を回動させるのに同期して可動翼片１９が開放するようにした。【選択図】図４
2008301906.tif 000002
【特許請求の範囲】
【請求項１】
電気的駆動源の駆動力を伝達する伝達手段を介して回動軸に軸支された可動翼片が開閉し、遊技球が入球可能な開放状態と遊技球が入球不可能又は入球し難い閉鎖状態とに変化する可変入賞装置であって、
前記可動翼片の回動軸に該可動翼片と同期すると共に回動軸と偏心する位置に前記伝達手段と連係する操作部を備えたカム部材を設け、
前記伝達手段に前記操作部に対し所定ストローク単独で可動し得る間隙を存して係合する係合部を設けると共に前記電気的駆動源の非駆動時において前記操作部の回転軌道上に該操作部の回動を阻止するストッパーを設け、
前記電気的駆動源の駆動時に前記伝達手段の所定ストロークの単独運動により前記ストッパーが操作部の回転軌道上から離脱し、該操作部を回動させるのに同期して前記可動翼片が開放するようにしたことを特徴とする可変入賞装置。
【請求項２】
前記係合部は前記操作部が遊挿される係合孔であり、前記ストッパーを前記係合孔内に膨出して形成したことを特徴とする請求項１記載の可変入賞装置。
【請求項３】
前記操作部が前記ストッパーを押圧した際に前記伝達手段が押圧方向へ移動するのを防止する規制手段を設けたことを特徴とする請求項１又は２記載の可変入賞装置。
【請求項４】
請求項１乃至３のいずれかに記載の可変入賞装置を備えたことを特徴とする遊技機。
【発明の詳細な説明】
【技術分野】
【０００１】
本発明は、可変入賞装置及びそれを用いた遊技機に関し、特に回動可能に設けられる可動翼片を外部操作によって開いて不当に賞球を獲得する不正行為を防止するための防犯機構を備えた可変入賞装置及びそれを用いた遊技機に関する。
【背景技術】
【０００２】
従来、パチンコ遊技機、アレパチ機等の弾球遊技機を含む種々の遊技機に設けられる可変入賞装置として、可動翼片を球受入口の両側に開閉自由に軸支してソレノイド等の電気的駆動源の駆動により可動翼片を開閉して、遊技球が入球可能な開放状態としたり遊技球が入球不可能又は入球し難い閉鎖状態としたり変化するものがある。この可変入賞装置は、ソレノイドが作動していないときに、外部からピアノ線やセル板等の不正道具を遊技盤前面とガラス板との間に侵入させて可動翼片に引掛けて、可動翼片を無理矢理に開放できる構造である。そのため、不当に賞球を獲得する不正行為が多発したことから、外部から可変入賞装置の可動翼片を開けようとしても可動翼片が開かず不正行為を防止することができる可変入賞装置が提案されている（例えば、特許文献１参照。）。
【０００３】
【特許文献１】実開平１−９０５９２号公報
【発明の開示】
【発明が解決しようとする課題】
【０００４】
しかしながら、特許文献の可変入賞装置は、連結杆の側端部とクランク部材に設けた係止片を当接させ外力による回動を防止するものの、ソレノイドの励磁により連結杆とクランク部材が同時に回動する構造であり、しかも回動を防止する箇所は一点のみであるため、ロックが外れ易くこじれや摩耗を生じやすい。さらに、連結杆とクランク部材の回動方向が同じであるため、無理に開放しようとすると簡単にロックが外れ、確実なロック効果を期待できないという問題があった。
【０００５】
本発明は、上記課題を解決するためになされたものであり、簡単な構成で外部から不正に可動翼片を開けようとしても可動翼片が開くことがなく、確実に不正行為を防止することができる可変入賞装置及びそれを用いた遊技機を提供することを目的としている。
【課題を解決するための手段】
【０００６】
上記目的を達成するために、請求項１に記載の発明は、電気的駆動源の駆動力を伝達する伝達手段を介して回動軸に軸支された可動翼片が開閉し、遊技球が入球可能な開放状態と遊技球が入球不可能又は入球し難い閉鎖状態とに変化する可変入賞装置であって、前記可動翼片の回動軸に該可動翼片と同期すると共に回動軸と偏心する位置に前記伝達手段と連係する操作部を備えたカム部材を設け、前記伝達手段に前記電気的駆動源の非駆動時において前記操作部に対し所定ストローク単独で可動し得る間隙を存して係合する係合部を設けると共に前記操作部の回転軌道上に該操作部の回動を阻止するストッパーを設け、前記電気的駆動源の駆動時に前記作動部材の所定ストロークの単独運動により前記ストッパーが操作部の回転軌道上から離脱し、該操作部を回動させるのに同期して前記可動翼片が開放するようにしたことを特徴とする。ここでいう「伝達手段」とは、電気的駆動源の駆動力を可動翼片に伝達して、可動翼片を開閉させる機構要素を称するものであり、単体に限定されるものではなく、複数の機構要素を介して電気的駆動源の駆動力を可動翼片に伝達することをも含む。また、「電気的駆動源」とは電気的信号を受けて可動体を操作するアクチュエータの総称であり、例えばモータ及びソレノイド等が電気的駆動源に相当する。
【０００７】
上記構成により、電気的駆動源の非駆動状態で可動翼片が閉状態にあるとき、ストッパーは、操作部の回転動作をロックして可動翼片の開方向への回動を阻止している。そして、電気的駆動源が駆動して伝達手段が間隙分可動すると、ストッパーが所定位置まで移動して操作部の回転軌道上から離脱することにより操作部との干渉が回避されて操作部の回動阻止を解除し、その後伝達手段が操作部に接触係合することによりカム部材が回動して、それに同期して可動翼片が回動する。言い換えれば、可動翼片は電気的駆動源の駆動力でのみ回動させることができる。このように構成することにより、電気的駆動源の非駆動状態で可動翼片に開方向の無用な作用力が働いたとしても、操作部がストッパーに衝止して可動翼片が開放することがない。
【０００８】
請求項２に記載の発明は、請求項１に記載の発明において、前記係合部は前記操作部が遊挿される係合孔であり、前記ストッパーを前記係合孔内に膨出して形成したことを特徴とする。
【０００９】
請求項３に記載の発明は、請求項１又は２に記載の発明において、前記操作部が前記ストッパーを押圧した際に前記伝達手段が押圧方向へ移動するのを防止する規制手段を設けたことを特徴とする。
【００１０】
請求項４に記載の発明は、請求項１乃至３のいずれかに記載の可変入賞装置を遊技機に備えたことを特徴とし、興趣に富みゲーム性の高い遊技機を実現することができるようになる。
【００１１】
また、前記可動翼片を常に閉方向に付勢する付勢手段を設けるのが好ましく、可動翼片の誤作動による開放をし難くすることができる。前記付勢手段は、例えば前記可動翼片の重心位置を重錘等により該可動翼片が常に閉方向に付勢される位置に設定すればよく、前記操作部を前記回動軸より内側に位置して設けるのが好ましい。さらに、付勢手段として直接可動翼片を閉方向に付勢するスプリング・ゴム等の弾性部材を設けるようにしてもよい。
【００１２】
前記ストッパーに阻止面を形成すると共に前記操作部に該阻止面と面接触し得る平坦面を形成するのがよく、これにより、電気的駆動源の非駆動時に操作部の平坦面がストッパーと面接触した状態で作動部材の可動方向と異なる方向に押圧するため、伝達手段を誤動作させることはなく、ロック効果が確実なものとなる。
【００１３】
また、前記ストッパーの下面によりを伝達手段の復動時に操作部を復動方向に導くように傾斜面とするのが好ましい。
【発明の効果】
【００１４】
本発明による可変入賞装置によると、電気的駆動源が非駆動状態で外部からピアノ線やセル板等の不正道具を用いて可動翼片を開けようとしても可動翼片が開かないため、賞球を不当に獲得する不正行為を確実に防止することができる。
【００１５】
また、既成の伝達手段に僅かな設計変更を加えるのみで対応でき、簡単な構成によって可変入賞装置の通常の作動を確保しつつ不正行為を防止することができるので、不正防止用の部材を新たに作成する必要がなく、コストの低減化を図ることができる。
【発明を実施するための最良の形態】
【００１６】
以下、本発明の遊技機としてパチンコ遊技機の実施形態を図面を参照して説明する。図１は、本発明に係る可変入賞装置を設けたパチンコ遊技機の正面図、図２は本発明に係る可変入賞装置の正面図であり、図３は可変入賞装置の開閉機構を示す裏面斜視図である。パチンコ遊技機１００は、遊技場の設置枠に取付けるための外枠１を備え、その外枠１の正面一側にヒンジ機構を介して内枠２が回動可能に設けられ、他側をロック機構によって開閉不能に施錠するようにしている。内枠２には、遊技盤４が装着されると共に、遊技盤４の正面を覆う透明板を備えた前面板６が回動可能に設けられている。また、前面板６の下方に位置する内枠２には遊技球を貯留し発射部に供給する供給皿７と余剰球を貯留する貯留皿８とが設けられている。そして、貯留皿８の右側に打球の弾発力を調節する操作ハンドル９が設けられている。
【００１７】
遊技盤４は、略方形状に形成され、所定の幅員を有する誘導部材により前面板６の透明板との間に略円形の遊技領域４ａが形成され、その略中央領域に可動翼片１９を供えた可変入賞装置１２を設けている。そして、その下方に可動翼片１９を１回又は２回開放させる複数の始動入賞口１３，１４が並設され、遊技領域４ａの最下端には入賞球とならなかった遊技球がアウト球として流出するアウト口１５が設けられている。始動入賞口１３，１４には夫々検知スイッチ１３ａ，１４ａを備え、始動入賞口１３に入賞するとその検知信号により可動翼片１９を２回開放し、始動入賞口１４に入賞すると可動翼片１９を１回開放するように設定されている。
【００１８】
可変入賞装置１２は、基板１６の中央に開口部が開設され、開口部に連通して基板１６の後方に遊技球が遊動する奥行き空間を備えた箱枠体１８が設けられている。開口部の左右に位置して入賞口を開閉する一対の略左右対称形の可動翼片１９が対向状に軸着され、両可動翼片１９間に位置する箱枠体１８内は複数個の通路に分割され、特別入賞口５０と一般入賞口５１とが形成される。そして、特別入賞口５０を特定領域として遊技球が特別入賞口５０に入賞することを条件に、遊技者に有利な特別状態を継続させるようにしている。
【００１９】
可動翼片１９は、遊技盤４面と略直交し基板１６の裏側へ突出する円形棒状の回動軸２５を備え、回動軸２５の軸端をＤ字状に切欠きしてカム部材５２を設けている。カム部材５２は、回動軸２５と偏心した位置に操作部としての操作ピン３１を備え、操作ピン３１が可動翼片１９と同期して一体的に回動するようにしている。この実施例において、操作ピン３１はカム部材５２に金属ピンをインサートして成形されており、操作ピン３１は可動翼片１９の重心が常に操作ピン３１側となるようにする付勢手段の役割をなしている。つまり、操作ピン３１により可動翼片１９を常に起立するように付勢している。なお、カム部材５２は図示しない規制部材により回動規制され、操作ピン３１の軌道は回動軸２５を中心として内方に移動しながら上方に回動する円弧状となる。また、箱枠体１８の後面に電気的駆動源として駆動力が遊技盤４に対し上下方向に発生するように一対のソレノイド２２が垂直状に設けられ、そのプランジャ４５にソレノイド２２の駆動力を伝達する伝達手段として作動部材２３が連結して設けられており、ソレノイド２２の励磁によりプランジャ４５が上下方向に進退動して作動部材２３が一体的に上下方向にスライドし、カム部材５２を介して可動翼片１９を回動するようにしている。
【００２０】
作動部材２３は、図３及び図４に示すように長板状に形成され、その両側にカム部材５２の回動を生じさせる係合部として操作ピン３１の軸方向（突出方向）に貫通した係合孔５３が形成され、係合孔５３にカム部材５２の操作ピン３１を遊挿しソレノイド２２と可動翼片１９が連係される。係合孔５３は、可動翼片１９の閉状態において作動部材２３と操作ピン３１との間に所定の間隙Ｃが形成される構成としている。即ち、係合孔５３は、操作ピン３１に対し所定ストローク単独で可動し得る間隙Ｃを存して係合するように、係合孔５３の孔面積は操作ピン３１の断面積よりも大きく形成され、特に作動部材２３の移動方向に間隙Ｃができるように形成される。そして、ソレノイド２２の非駆動時において操作ピン３１の回動を阻止するストッパー３５を係合孔５３内に段状に膨出して設け、可動翼片１９の無用な回動を防止している。ストッパー３５は操作ピン３１が当接する阻止面が垂直状に形成され、下面を操作ピン３１側に向かう上向き傾斜としている。なお、係合部を係合孔５３としたが、必ずしも環状孔に限定されるものではなく、係合部を側方が開放する正面視コ字状又は反コ字状に形成し、この係合部内にストッパー３５を段状に設けるようにしても、ソレノイド２２の非駆動時において操作ピン３１の回動を阻止することができ同様の効果を奏し得る。また、作動部材２３には、横ブレを防止する規制手段として、略中央下方に上下方向の切溝５５が形成され、ソレノイド２２の非駆動時において箱枠体１８後面に設けられるリブ片５６が嵌り、作動部材２３の横ブレを規制している。この実施例の切溝５５は下方を末広がり状に形成して、作動部材２３の復動時にリブ片５６が嵌りやすいようにしている。なお、切溝５５に嵌るリブ片５６に替えて軸ピン状のものとして、この軸ピン状のものが切溝５５に嵌ることで作動部材２３の横ブレを規制するようにしてもよい。また、切溝５５に替えてリブ片５６に当接する規制片を作動部材２３に設けるようにしてもよい。この規制片及びリブ片５６は作動部材２３の上下方向のガイド手段ともなる。
【００２１】
上記構成の可変入賞装置１２は、可動翼片１９を軸受により略水平に支持し、カム部材５２の操作ピン３１を作動部材２３の係合孔５３に遊挿してソレノイド２２と可動翼片１９とを連係している。このとき、操作ピン３１はストッパー３５の阻止面の側方に位置して、操作ピン３１が無用に回動しないようにしている。なお、実施例ではソレノイド２２を２個設けて安定した状態で作動部材２３を上下動させ可動翼片１９を開閉するようにしたが、１個のソレノイド２２で作動部材２３を上下動して可動翼片１９を開閉させるようにしてもよい。
【００２２】
次に、上記構成の可変入賞装置１２の動作を説明する。まず、図４（イ）に示すようにソレノイド２２が消磁して作動していない状態においては、プランジャ４５はスプリング４４の付勢により下降位置にあり、これに伴い作動部材２３も下降位置に保たれる。このとき、両可動翼片１９は操作ピン３１の荷重により起立状態を保持し、遊技球を受け入れ難い閉状態としている。また、操作ピン３１が遊挿された係合孔５３は、操作ピン３１の下方に間隙Ｃを有する状態にあり、ストッパー３５は操作ピン３１の回転軌道上である操作ピン３１の側方に位置し、ストッパー３５により可動翼片１９の無用な開方向への回転運動が阻止されている。
【００２３】
一方、ソレノイド２２が励磁すると、プランジャ４５はスプリング４４の付勢に抗して上動すると共に作動部材２３が上方にスライド移動する。そして、図４（ロ）に示すようにストッパー３５が操作ピン３１の回転軌道上から離脱して所定位置まで移動し、操作ピン３１の回動阻止を解除する。このとき、可動翼片１９は自重によりまだ閉状態を維持している。また、操作ピン３１がストッパー３５の回動阻止から解除されると、図４（ロ）に示すように係合孔５３の下端作用部５３ａが操作ピン３１に当接係合し、図４（ハ）に示すように操作ピン３１を押し上げ、操作ピン３１はストッパー３５の下方に臨みながら回動し、それに伴い回動軸２５が回転することにより可動翼片１９は回動軸２５を中心として開方向へ所定角度回動して全開状態となり、遊技球が入賞し易くなる。なお、可動翼片１９が上記のように閉状態から開状態になるまでの間において、操作ピン３１はストッパー３５より下方に位置することになり、ストッパー３５と干渉することはない。このとき、操作ピン３１の軌跡は回動軸２５の中心を通る水平面に対して略対象であり、言い換えれば可動翼片１９の閉状態時の操作ピン３１の停止位置と開状態時の操作ピン３１の停止位置の関係は、回動軸２５からの仰角と俯角とが略同角度の位置関係にあり、互いに略同一鉛直線上に位置している。
【００２４】
その後、ソレノイド２２を消磁すると、プランジャ４５がスプリング４４の付勢により下降位置まで戻り、作動部材２３が下動するのに伴いカム部材５２の自重により操作ピン３１も係合孔５３の下端作用部５３ａに接触しながら下向き回動し、可動翼片１９が同期して図４（イ）に示す閉状態に復動する。
【００２５】
一方、図４（イ）に示す閉状態で可動翼片１９の上端又はカム部材５２にピアノ線又はセル板等の不正道具を引掛けて、可動翼片１９を無理矢理に開方向へ回転しようとする強制操作力が加えられたとしても、操作ピン３１がストッパー３５の阻止面に当接するため回動作が阻止され、カム部材５２は回動することができない。このとき、例え過剰な強制操作力が加えられストッパー３５を無理やり押圧して作動部材２３を横方向にずらしてカム部材５２を回動させようとしても、規制手段としてのリブ片５６が切溝５５に嵌まり込んでいるため作動部材２３は動くことはなく、操作ピン３１のロック状態を確実に保持する。したがって、可動翼片１９は開放しないため遊技球を不正に入賞口へ入れることはできない。
【００２６】
なお、実施例において可動翼片１９を常に閉方向に付勢するようにしたが、これに限定されることなく、例えば閉状態では可動翼片１９は閉方向に付勢され、作動部材２３の作用により開放し始め所定位置で自重により可動翼片１９が開方向に傾倒するようにしてもよい。
【００２７】
以上説明したように、本実施形態に係る可変入賞装置は、電気的駆動源の駆動力を伝達する作動部材２３に可動翼片１９の裏面側の操作ピン３１の回動を阻止するストッパー３５を設けたので、電気的駆動源が非駆動状態で可動翼片１９を開放しようとしても操作ピン３１がストッパー３５に衝止し、可動翼片１９の開方向への回動が阻止される。そして、電気的駆動源の駆動時にはストッパー３５の回動阻止を解除して可動翼片１９が開放される。つまり、可動翼片１９は電気的駆動源の駆動時にのみ開放される。
【００２８】
また、本実施形態に係る可変入賞装置１２は、既成の作動部材２３に僅かな設計変更を加えるのみで対応できるので、簡単な構成によって可変入賞装置１２の通常の作動を確保しつつ不正行為を防止することができる。そして、間隙Ｃの形成によりストッパー３５を操作ピンの変位経路から退避させることができ、可動翼片１９の回動開始の時間差を生じさせることができるため、装置構成は簡素化が図れ、装置の軽量化，コンパクト化等に寄与する。また、不正防止用の新たな金型等を作成する必要がなく、コストの低減化を図ることができる。
【００２９】
なお、前記実施例では可動翼片１９の閉状態時の操作ピン３１の停止位置と開状態時の操作ピン３１の停止位置との関係を、回動軸２５からの仰角と俯角とが略同角度となるようにしたが、図５に示すように可動翼片１９の閉状態時の操作ピン３１の停止位置と開状態時の操作ピン３１の停止位置との関係を回動軸２５からの俯角を仰角より大きくなるように設定して、開状態時の操作ピン３１の停止位置を閉状態時の操作ピン３１の停止位置より内方に位置させている。したがって、可動翼片１９の開状態では操作ピン３１はストッパー３５の下面に臨むように位置することになり、ソレノイド２２の消磁時には操作ピン３１はストッパー３５の下面により押し下げられて復動する。このため、可動翼片１９が自重により開方向に付勢されていても確実に閉状態に復動させることができる。
【００３０】
図６は伝達手段の他の実施例を示し、この実施例において伝達手段は複数の機構要素からなり、ソレノイド２２の駆動力を可動翼片１９に伝達するようにしている。なお、図上可動翼片１９は個々に独立して可動する構成であるため一方の可動翼片１９を代表して説明する。伝達手段は、図６に示すようにプランジャ４５に固着され鉛直方向にスライド運動する連結部材５７と、遊技盤４と平行な面内で回動する作動部材２３Ａとで構成している。作動部材２３Ａは、一端を箱枠体１８に設けた支軸５８に揺動自在に軸支すると共に他端にカム部材５２の回動を生じさせる係合部として係合孔５３が操作ピン３１に対し所定ストローク単独で可動し得る間隙Ｃを存して係合するように形成され、係合孔５３内にソレノイド２２の非駆動時において操作ピン３１の回動を阻止するストッパー３５を段状に膨出して設けている。そして、軸支部と係合孔５３との間に遊技盤４面と直交する軸線方向にピン５９を突設している。また、連結部材５７には、作動部材２３Ａのピン５９が遊挿される水平方向の長孔６０が形成され、箱枠体１８に設けられるガイドピン６１が遊挿されると共に連結部材５７の左右方向のブレを規制する縦長状のガイド孔６２が形成されている。なお、実施例においてガイド孔６２は、一端をガイドピン６１に衝止させ、連結部材５７の下動域を規制する規制手段の役割をなしている。なお、連結部材５７と作動部材２３Ａとの連係部を作動部材２３Ａに設けたピン５９と連結部材５７に設けた長孔６０とで構成したが、連結部材５７にピンを設け作動部材２３Ａに長孔を設けて連係するようにしてもよい。
【００３１】
次に上記構成の伝達手段の作用を説明する。先ず図６（イ）に示すソレノイド２２が消磁した常態では、連結部材５７はガイド孔６２の上端がガイドピン６１に衝止した下動状態にあり、ピン５９と長孔６０との連係に伴って作動部材２３Ａが下傾し、係合孔５３により操作ピン３１を下方に押し下げて可動翼片１９を起立状態としている。このとき、操作ピン３１はストッパー３５の阻止面近傍に位置している。そして、ソレノイド２２が励磁されると図６（ロ）に示すように、プランジャ４５がスプリング４４の付勢に抗して吸引されて連結部材５７が上動し、それに伴い作動部材２３Ａが支軸５８を中心として上向き回動し、ストッパー３５の阻止面が操作ピン３１から離間すると共に係合孔５３が操作ピン３１に係合することにより、カム部材５２を回動させて可動翼片１９を開放させる。このとき、操作ピン３１はストッパー３５の下方に位置している。そして、所定時間経過後又は所定個数の遊技球が入賞するとソレノイド２２が消磁し、操作ピン３１がストッパー３５の下面により押し下げられて図６（イ）に示す阻止面の側方に移動し、可動翼片１９が閉状態に復動する。
【００３２】
また、図６（イ）に示す可動翼片１９の閉状態で、ピアノ線又はセル板等の不正道具により可動翼片１９又はカム５２部材を無理矢理に開方向へ回転しようとする強制操作力が加えられたとしても、図６（イ）鎖線に示すように操作ピン３１がストッパー３５の阻止面に当接し、作用力が支軸５８に向かって作用するため作動部材２３Ａの回動作が阻止され、可動翼片１９を回動させることができない。したがって、可動翼片１９を無理矢理開放させる不正行為を確実に防止することができる。
【００３３】
図７は、操作ピン３１の回動軌跡を回動軸２５の中心を通る水平面に対して略対象であり、言い換えれば可動翼片１９の閉状態時の操作ピン３１の停止位置と開状態時の操作ピン３１の停止位置との関係は、回動軸２５からの仰角と俯角とが略同角度の位置関係にあり、互いに略同一鉛直線上に位置している。そして、作動部材２３Ａの支軸５８の位置を、可動翼片１９の閉状態時の操作ピン３１との距離が、可動翼片１９の開状態時の操作ピン３１の停止位置との距離より長くなるように設定している。実施例では支軸５８が回動軸２５より上方に位置しており、作動部材２３Ａは、可動翼片１９の開状態時には略水平状態となる。したがって、可動翼片１９の開状態では操作ピン３１はストッパー３５の下面に臨むように位置することになり、ソレノイド２２の消磁時には操作ピン３１はストッパー３５の下面により押し下げられて復動する。このため、可動翼片１９が開方向に付勢されていても確実に閉状態に復動させることができる。
【００３４】
なお、実施例においてカム部材５２を操作ピン３１が可動翼片１９の回動軸２５に対して内方でありかつ下方に偏心した位置に設けたが、この実施例に限定されることなく、回動軸２５に対して任意の位置に偏心して設けることが可能である。この場合、作動部材２３に設けるストッパー３５は電気的駆動源の非駆動時において可動翼片１９の開方向への移動を阻止する側に設けられる。例えば図８に示すように、操作ピン３１を回動軸２５に対して外方でありかつ上方に偏心して設けた場合には、ストッパー３５は操作ピン３１の外方位置に設けて外方回動を阻止する。また、図９に示すように、操作ピン３１を回動軸に対して外方でありかつ下方に偏心して設けた場合には、ストッパー３５は前記実施例と同様に操作ピン３１の内方位置に設けて内方回動を阻止する。なお、操作ピン３１を回動軸２５の内方に設けた場合と外方に設けた場合には、作動部材２３の可動方向を逆にする必要がある。つまり、操作ピン３１を回動軸２５の外方に設けた場合には、ソレノイド２２の励磁によって作動部材２３の係合部５３を下動させることになる。
【００３５】
また、実施例において、操作部を円柱状の操作ピン３１としたが、操作ピン３１にストッパー３５と面接触し得る平坦面を形成するのがよく、電気的駆動源の非駆動時に操作ピン３１の平坦面がストッパー３５の阻止面と面接触した状態で作動部材２３の可動方向である上下方向と異なる横方向に押圧するため、作動部材２３を誤動作させることはなくロック効果が確実なものとなる。
【００３６】
また、電気的駆動源は正逆モータやロータリーソレノイドであってもよい。電気的駆動源を正逆モータやロータリーソレノイドとした場合には、例えば前記実施例に示した作動部材２３の軸支部に電気的駆動源の駆動軸を固着し、駆動源を正逆回転させることにより作動部材２３を揺動させ可動翼片１９を開閉させることができる。なお、正逆モータやロータリーソレノイドに偏心カムを設け、偏心カムを作動部材２３の偏心位置に連係させて作動部材２３を可動させるようにすることも可能である。
【００３７】
本発明は、実施例においてパチンコ遊技機を遊技機の一例として説明したが、遊技球を遊技媒体とする雀球遊技機やアレンジボール式遊技機等の弾球遊技機にも適応可能である。
【図面の簡単な説明】
【００３８】
【図１】パチンコ遊技機の正面図である。
【図２】可変入賞装置の正面図である。
【図３】図２の要部となる開閉機構例を示す背面斜視図である。
【図４】（イ）〜（ハ）は図２の可動翼片の開閉動作を示す作用説明図である。
【図５】可動翼片の開閉動作の他の実施例を示す作用説明図である。
【図６】（イ），（ロ）は伝達手段の他の実施例を示す作用説明図である。
【図７】可動翼片の開閉動作の他の実施例を示す作用説明図である。
【図８】（イ），（ロ）は可動翼片の動作の他の実施例を示す作用説明図である。
【図９】（イ），（ロ）はさらに可動翼片の動作の他の実施例を示す作用説明図である。
【符号の説明】
【００３９】
１２  可変入賞装置
１９  可動翼片
２２  ソレノイド（電気駆動源）
２３，２３Ａ  作動部材（伝達手段）
２５  回動軸
３１  操作ピン（操作部）
３５  ストッパー
５２  カム部材
５３  係合孔（係合部）
５５  切溝（規制手段）
５６  リブ片（規制手段）
５７  連結部材（伝達手段）
１００  パチンコ遊技機（遊技機）
Ｃ  間隙
【図１】
2008301906.tif 000003
【図２】
2008301906.tif 000004
【図３】
2008301906.tif 000005
【図４】
2008301906.tif 000006
【図５】
2008301906.tif 000007
【図６】
2008301906.tif 000008
【図７】
2008301906.tif 000009
【図８】
2008301906.tif 000010
【図９】
2008301906.tif 000011